(57)【要約】【課題】通信ネットワークのユーザが、情報ネットワークにおける加入者情報を用いることにより、情報ネットワークでのユーザ毎の情報を利用可能とすることを可能とする連携システムを提供する。【解決手段】通信端末が接続する通信ネットワークと情報サーバが接続する情報ネットワークとを互いに接続するサービスプラットフォームサーバを有する連携システムであり、サービスプラットフォームサーバが、情報ネットワークの情報サーバへ接続する接続情報を記憶する接続情報記憶部と、サービスの実行手順が記述されているシナリオを記憶するシナリオ記憶部とを有し、通信端末から受信した情報要求に該当するシナリオをシナリオ記憶部から読み出し、通信端末に該当する接続情報を接続情報記憶部から読み出し、読み出したシナリオと接続情報とに基づいて情報サーバに接続するＷｅｂ対応機能部と、を有する。【選択図】図１
2008165703.tif 000002
【特許請求の範囲】
【請求項１】
通信端末が接続する通信ネットワークと情報サーバが接続する情報ネットワークとを互いに接続するサービスプラットフォームサーバを有する連携システムであり、
前記サービスプラットフォームサーバが、
情報ネットワークの情報サーバへ接続する接続情報を記憶する接続情報記憶部と、
サービスの実行手順が記述されているシナリオを記憶するシナリオ記憶部と、
前記通信端末から受信した情報要求を送信するＩＭＳ対応機能部と、
前記ＩＭＳ対応機能部から受信した情報要求に該当するシナリオを前記シナリオ記憶部から読み出し、前記読み出したシナリオに基づいて、前記通信端末に該当する接続情報を前記接続情報記憶部から読み出し、該接続情報と前記情報要求とを送信するシナリオ実行機能部と、
前記シナリオ実行機能部から受信した接続情報に基づいて前記情報サーバに接続し、該情報サーバから前記情報要求に該当する情報を取得し、該情報を前記シナリオ実行機能部に送信するＷｅｂ対応機能部と、
を有し、
前記シナリオ実行機能部が、前記Ｗｅｂ対応機能部から受信した前記情報を前記通信端末へ前記ＩＭＳ対応機能部を介して送信する、
ことを特徴とする連携システム。
【請求項２】
前記シナリオにはデータの加工手順が記述されており、
前記シナリオ実行機能部が、前記Ｗｅｂ対応機能部から受信した前記情報を前記読み出したシナリオに基づいて加工する、
ことを特徴とする請求項１に記載の連携システム。
【請求項３】
前記通信ネットワークが、前記通信端末のプレゼンス情報を記憶するプレゼンスサーバを有しており、
前記シナリオ実行機能部が、前記通信端末に該当するプレゼンス情報を前記プレゼンスサーバから取得し、前記プレゼンス情報に基づいて前記シナリオを実行する、
ことを特徴とする請求項１または請求項２に記載の連携システム。
【請求項４】
通信端末が接続する通信ネットワークと情報サーバが接続する情報ネットワークとを互いに接続するサービスプラットフォームサーバを有する連携システムで用いられる連携方法であり、
前記サービスプラットフォームサーバが、
情報ネットワークの情報サーバへ接続する接続情報を記憶する接続情報記憶手順と、
サービスの実行手順が記述されているシナリオを記憶するシナリオ記憶手順と、
前記通信端末から受信した情報要求を送信するＩＭＳ対応機能手順と、
前記ＩＭＳ対応機能手順から受信した情報要求に該当するシナリオを前記シナリオ記憶手順から読み出し、前記読み出したシナリオに基づいて、前記通信端末に該当する接続情報を前記接続情報記憶手順から読み出し、該接続情報と前記情報要求とを送信するシナリオ実行機能手順と、
前記シナリオ実行機能手順から受信した接続情報に基づいて前記情報サーバに接続し、該情報サーバから前記情報要求に該当する情報を取得し、該情報を前記シナリオ実行機能手順に送信するＷｅｂ対応機能手順と、
を有し、
前記シナリオ実行機能手順が、前記Ｗｅｂ対応機能手順から受信した前記情報を前記通信端末へ前記ＩＭＳ対応機能手順を介して送信する、
ことを特徴とする連携方法。
【発明の詳細な説明】
【技術分野】
【０００１】
本発明は、通信網における通信ネットワーク側のサービスおよび、情報ネットワーク側のサービスを相互及び連携して利用可能とする技術に関する。
【背景技術】
【０００２】
従来、通信ネットワークと情報ネットワークとを接続し、通信ネットワークでの情報およびサービスと、情報ネットワークでの情報およびサービスとを、それぞれ相互に接続するサービスプラットフォームサーバが知られている。
ここで、通信ネットワークとは、電話網またはＳＩＰ（Session Initiation Protocol）網である電話網であり、情報ネットワークとはインターネットなどのコンピュータネットワークである。
【０００３】
このような技術として知られている特許文献１は、情報ネットワークにあるＷｅｂサーバのサービスから、通信ネットワーク側にあるＳＩＰサーバのサービスへアクセスする場合のセッションＩＤによって、Ｗｅｂサーバのサービス利用ユーザを識別し、識別したサービス利用ユーザに基づいて、サービス利用ユーザ毎のサービスを実行するＷｅｂ連携サービスを提供している。
【特許文献１】特開２００４−２４７９１６号公報
【発明の開示】
【発明が解決しようとする課題】
【０００４】
しかしながら、特許文献１のサービスプラットフォームサーバにおける接続制御と情報の連携技術では、サービスプラットフォームサーバと情報ネットワーク間での情報のやり取りに関しては、Ｗｅｂ側のサービス利用ユーザに関する情報は、セッションＩＤ、ＳＩＰ通信の通信元識別情報、ＳＩＰ通信の通信先識別情報などの通信ネットワークにおける情報のみしか扱えず、通信ネットワークへ加入しているユーザ毎の情報を利用することが出来ないという問題があった。
【０００５】
本発明は、このような事情に鑑みてなされたもので、その目的は、通信ネットワークのユーザが、情報ネットワークにおける加入者情報を用いることにより、情報ネットワークでのユーザ毎の情報を利用可能とすることを可能とする連携システムを提供することにある。
【課題を解決するための手段】
【０００６】
この発明は上述した課題を解決するためになされたもので、請求項１に記載の発明は、通信端末が接続する通信ネットワークと情報サーバが接続する情報ネットワークとを互いに接続するサービスプラットフォームサーバを有する連携システムであり、前記サービスプラットフォームサーバが、情報ネットワークの情報サーバへ接続する接続情報を記憶する接続情報記憶部と、サービスの実行手順が記述されているシナリオを記憶するシナリオ記憶部と、前記通信端末から受信した情報要求を送信するＩＭＳ対応機能部と、前記ＩＭＳ対応機能部から受信した情報要求に該当するシナリオを前記シナリオ記憶部から読み出し、前記読み出したシナリオに基づいて、前記通信端末に該当する接続情報を前記接続情報記憶部から読み出し、該接続情報と前記情報要求とを送信するシナリオ実行機能部と、前記シナリオ実行機能部から受信した接続情報に基づいて前記情報サーバに接続し、該情報サーバから前記情報要求に該当する情報を取得し、該情報を前記シナリオ実行機能部に送信するＷｅｂ対応機能部と、を有し、前記シナリオ実行機能部が、前記Ｗｅｂ対応機能部から受信した前記情報を前記通信端末へ前記ＩＭＳ対応機能部を介して送信する、ことを特徴とする連携システムである。
【０００７】
請求項２に記載の発明は、前記シナリオにはデータの加工手順が記述されており、前記シナリオ実行機能部が、前記Ｗｅｂ対応機能部から受信した前記情報を前記読み出したシナリオに基づいて加工する、ことを特徴とする請求項１に記載の連携システムである。
【０００８】
請求項３に記載の発明は、前記通信ネットワークが、前記通信端末のプレゼンス情報を記憶するプレゼンスサーバを有しており、前記シナリオ実行機能部が、前記通信端末に該当するプレゼンス情報を前記プレゼンスサーバから取得し、前記プレゼンス情報に基づいて前記シナリオを実行する、ことを特徴とする請求項１または請求項２に記載の連携システムである。
【０００９】
請求項４に記載の発明は、通信端末が接続する通信ネットワークと情報サーバが接続する情報ネットワークとを互いに接続するサービスプラットフォームサーバを有する連携システムで用いられる連携方法であり、前記サービスプラットフォームサーバが、情報ネットワークの情報サーバへ接続する接続情報を記憶する接続情報記憶手順と、サービスの実行手順が記述されているシナリオを記憶するシナリオ記憶手順と、前記通信端末から受信した情報要求を送信するＩＭＳ対応機能手順と、前記ＩＭＳ対応機能手順から受信した情報要求に該当するシナリオを前記シナリオ記憶手順から読み出し、前記読み出したシナリオに基づいて、前記通信端末に該当する接続情報を前記接続情報記憶手順から読み出し、該接続情報と前記情報要求とを送信するシナリオ実行機能手順と、前記シナリオ実行機能手順から受信した接続情報に基づいて前記情報サーバに接続し、該情報サーバから前記情報要求に該当する情報を取得し、該情報を前記シナリオ実行機能手順に送信するＷｅｂ対応機能手順と、を有し、前記シナリオ実行機能手順が、前記Ｗｅｂ対応機能手順から受信した前記情報を前記通信端末へ前記ＩＭＳ対応機能手順を介して送信する、ことを特徴とする連携方法である。
【発明の効果】
【００１０】
この本発明によれば、通信ネットワークへ加入しているユーザ毎の情報ネットワークの加入情報を元に、通信ネットワークを介しての情報要求に対しても、ユーザが情報ネットワーク上で提供される情報と同様の情報を通信ネットワーク上で提供することにより、通信ネットワーク上からも情報ネットワーク上の情報を取得できる、という効果を奏する。
【発明を実施するための最良の形態】
【００１１】
以下、図面を参照して、本発明の実施の形態について説明する。図１は、この発明の一実施形態による連携システムの構成を示す概略ブロック図である。
図１に示すように、本実施の形態にかかわる接続制御とデータ情報の連携システムは、通信ネットワーク１と情報ネットワーク２とが、サービスプラットフォームサーバ３を介して接続される。通信ネットワーク１には通信端末９が接続され、情報ネットワーク２には情報端末１１が接続される。
【００１２】
通信ネットワーク１は、通信系プロトコルによってデータの送受信を行うネットワークであり、例えば、電話網またはＩＰ電話網である。
一方、情報ネットワーク２は、ＷＥＢ系プロトコルによってデータの送受信を行うネットワークであり、例えば、コンピュータネットワークである。
【００１３】
また、それぞれのネットワークに接続される通信端末は異なり、通信ネットワーク１に接続される通信端末９は、電話機能またはＳＩＰ機能を有し、例えば、電話やＩＰ電話を実行することが出来る電話機やＩＰ電話機である通信端末である。
また、情報ネットワーク２に接続される情報端末１１は、ＷＥＢブラウザ機能を有する通信端末であり、例えば、通信機能を有するパーソナルコンピュータなどである。
【００１４】
情報ネットワーク２にはＩＳＰ（インターネットサービスプロバイダ）１０（情報サーバ）があり、情報端末１１のユーザは、ＩＳＰ１０を介して、情報ネットワーク２に接続している。
ＩＳＰ１０は、情報端末１１のユーザの契約情報を内部に記憶しており、例えば、ログイン情報とパスワード情報とが登録されている。
また、ＩＳＰ１０は、情報端末１１へのメールの送受信をする機能と、ユーザ毎の任意の情報を登録する機能とを有する。
【００１５】
サービスプラットフォームサーバ３は、シナリオ実行機能部４、ＩＭＳ対応機能部５、Ｗｅｂ対応機能部６、および、コンテキストＤＢ７（接続情報記憶部）を有する。また、ＩＭＳ対応機能部５は、ＤＢアクセス機能部８を有する。
【００１６】
コンテキストＤＢ７は、情報ネットワーク２のＳＩＰ１０（情報サーバ）へ接続する接続情報を記憶する。
図２を用いて、図１のコンテキストＤＢ７が有する情報について説明する。
コンテキストＤＢ７には、ユーザ毎の契約プロバイダ認証情報または契約サービス認証情報が、ユーザの識別情報と関連付けて予め記憶されている。
このユーザの識別情報とは、通信端末９を識別する情報であり、例えば、通信端末９の電話番号またはＳＩＰ−ＵＲＩ（Uniform Resource Indicator）である。
また、コンテキストＤＢ７には、ユーザ毎のＩＳＰ１０を識別する情報、例えばＵＲＬ（Uniform Resource Locator）が、契約プロバイダ認証情報または契約サービス認証情報と関連付けて記憶されている。
【００１７】
また、この契約プロバイダ認証情報とは、ＩＳＰ１０へログインするためのログイン情報とパスワード情報である。また、この契約サービス認証情報とは、ＩＳＰ１０でのサービスに対する認証のための、ユーザ情報とパスワード情報である。
この契約プロバイダ認証情報および契約サービス認証情報は、ＩＳＰ１０に予め登録されているものと同一のものである。実施の形態においては、コンテキストＤＢ７にＩＳＰ１０と同一の情報が、ユーザの識別情報と関連付けて予め記憶されている。
【００１８】
図１の説明に戻り、ＩＭＳ対応機能部５は、通信端末９からの情報要求を、通信ネットワーク１を介して受信し、受信した情報要求をシナリオ実行機能部４へ送信する。この情報要求とは、後述するシナリオ識別番号である。
このＩＭＳ対応機能部５は、通信ネットワーク１でのプロトコル変換とデータ変化とを実行することにより、通信ネットワーク１を介して、通信端末９との通信を実行することが可能である。
また、このＩＭＳ対応機能部５はＤＢアクセス機能部８を有しており、このＤＢアクセス機能部８は、シナリオ実行機能部４からの通信端末を識別する識別情報に基づいて、該当する接続情報をコンテキストＤＢ７から読み出し、読み出した接続情報をシナリオ実行機能部４へ送信する。
【００１９】
シナリオ実行機能部４は、サービスの実行手順が記述されているシナリオをシナリオ識別情報と関連付けて記憶するシナリオ記憶部を有する。
このシナリオ識別情報とは、電話番号またはＳＩＰ−ＵＲＩなどの、通信ネットワーク１上で、一意に識別される識別情報である。ユーザは、通信端末９を用いて、このシナリオ識別情報で電話を掛けることにより、サービスプラットフォームサーバ３へ、サービス提供の要求を実行する。
【００２０】
また、このシナリオには、データの加工手順が記述されている。この加工手順とは、情報ネットワーク２での情報と、通信ネットワーク１での情報とは異なるので、その形式を変換するための手順である。例えば、情報ネットワーク２の文字情報を、通信ネットワーク１の音声情報に変換する変換手順がある。
【００２１】
シナリオ実行機能部４は、ＩＭＳ対応機能部５から受信した情報要求に応じて、受信した情報要求に該当するシナリオをシナリオ記憶部から読み出し、読み出したシナリオに基づいて、通信端末に該当する接続情報をコンテキストＤＢ７から読み出し、読み出した接続情報と受信した情報要求とをＷｅｂ対応機能部６へ送信する。
【００２２】
なお、実施の形態においては、シナリオ実行機能部４は、読み出したシナリオに基づいて、ＩＭＳ対応機能部５のＤＢアクセス機能部８を介して、通信端末に該当する接続情報をコンテキストＤＢ７から読み出す。
また、シナリオ実行機能部４は、Ｗｅｂ対応機能部６から受信した情報を、読み出したシナリオに基づいて加工する。
また、シナリオ実行機能部４は、後述するＷｅｂ対応機能部から受信した情報を通信端末９へＩＭＳ対応機能部５を介して送信する。
【００２３】
Ｗｅｂ対応機能部６は、接続情報と情報要求とをシナリオ実行機能部４から受信し、受信した接続情報に基づいてＩＳＰ１０に接続し、接続したＩＳＰ１０から情報要求に該当する情報を取得し、取得した情報をシナリオ実行機能部４に送信する。
このＷｅｂ対応機能部６は、情報ネットワーク２でのプロトコル変換とデータ変換を実行することにより、情報ネットワーク２を介した通信を実行することが可能である。
【００２４】
上記に説明した図１の連携システムは、ＩＭＳ対応機能部５が、通信ネットワーク１に収容されているユーザの通信端末９からの情報要求を受け、シナリオ実行機能部４へ情報サービスの実行を依頼し、実行を依頼されたシナリオ実行機能部４が依頼情報を分析し、依頼ユーザが契約しているプロバイダやサービスの接続情報の読み出しをＩＭＳ対応機能部５のＤＢアクセス機能部８へ依頼し、ＩＭＳ対応機能部５のＤＢアクセス機能部８は契約情報をコンテキストＤＢ７から読み出し、読み出した契約情報を、シナリオ実行機能部４へ通知する。
これにより、シナリオ実行機能部４は、読み出した契約情報により、情報ネットワーク２への接続が可能となり、情報ネットワーク２からユーザ毎の情報を取得することが可能となる。
【００２５】
以上の構成により、サービスプラットフォームサーバ３は、通信ネットワーク１へ加入しているユーザ毎の情報ネットワーク２の加入情報を元に、通信ネットワーク１を介してのユーザからの情報要求に対しても、ユーザが情報ネットワーク２上で提供される情報と同様の情報を、通信ネットワーク１上で提供することが可能となる。
【００２６】
＜第１の実施形態＞
次に、図３および図４を用いて、本実施の形態に係る接続制御とデータ情報の接続制御とデータ情報の連携システムの第１の実施形態とその動作を説明する。
図３は、連携システムの第１の実施形態の構成を示す構成図である。同図において図１または図２の各部に対応する部分には同一の符号を付け、その説明を省略する。
【００２７】
次に、図４のシーケンス図を用いて、図３の連携システムの第１の実施形態の構成において、サービスプラットフォームサーバ３が、ユーザからの情報要求時に、ユーザが予め登録している情報ネットワーク２のＩＳＰ１０から、情報取得を実行する場合の動作を説明する。
【００２８】
ＩＭＳ対応機能部５は、ユーザの通信端末９からの情報要求を受信すると（ステップＳ１）、シナリオ実行機能部４へ情報収集シナリオの実行を依頼する（ステップＳ２）。
次に、シナリオ実行機能部４は、シナリオ起動を要求する指示を受信すると、ユーザの要求に該当するシナリオを参照し、参照したシナリオに基づいて、情報を要求してきたユーザが契約している情報ネットワーク２の契約情報を、ＩＭＳ対応機能部５のＤＢアクセス機能部８へ要求する（ステップＳ３）。
【００２９】
ＩＭＳ対応機能部５のＤＢアクセス機能部８は、対象ユーザの契約情報をコンテキストＤＢ７から読み出し（ステップＳ４）、読み出した契約情報をシナリオ実行機能部４へ通知する（ステップＳ５）。
シナリオ実行機能部４は、Ｗｅｂ対応機能部６へ契約情報を含んだ情報要求を送信する（ステップＳ６）。次に、Ｗｅｂ対応機能部６は、受信した契約情報に基づき、情報ネットワーク２のＩＳＰ１０へのログインを実行し（ステップＳ７）、情報ネットワーク２のＩＳＰ１０にログイン後、情報ネットワーク２のＩＳＰ１０から情報を取得する（ステップＳ８）。
ここでいう情報とは、ＩＳＰ１０にあるユーザの情報であれば、任意の情報でよい。ここでは、ユーザの情報の一例としてメール情報とする。このメール情報は、文字情報である。
【００３０】
次に、Ｗｅｂ対応機能部６は、情報ネットワーク２から取得した情報をシナリオ実行機能部４へ通知する（ステップＳ９）。
次に、シナリオ実行機能部４はシナリオ実行機能部４から通知された情報を、シナリオ記述に従い加工し、ＩＭＳ対応機能部５へ通知する（ステップＳ１０）。
ここでいう加工とは、例えば文字情報であるメール情報を、音声情報に変換することである。
【００３１】
次に、ＩＭＳ対応機能部５は、シナリオ実行機能部４から通知された情報を、情報要求元のユーザの通信端末９へ、通信ネットワーク１を介して送信する（ステップＳ１１）。
以上のようにして、通信ネットワーク側１の通信端末９から、情報ネットワーク２のＩＳＰ１０が保持する通信端末９のユーザに関する情報の参照が可能である。
【００３２】
＜第２の実施形態＞
次に、図５および図６を用いて、本実施の形態に係る接続制御とデータ情報の接続制御とデータ情報の連携システムの第２の実施形態とその動作を説明する。
第２の実施形態では、サービスプラットフォームサーバが通信ネットワーク１上のサーバもしくはユーザからの情報ネットワーク２上のサーバへの情報蓄積要求時に、ユーザが予め契約している情報ネットワーク２のＩＳＰ１０への情報蓄積を実行する場合について説明する。
【００３３】
図５は、連携システムの第２の実施形態の構成を示す構成図である。同図において図１または図２の各部に対応する部分には同一の符号を付け、その説明を省略する。
通信ネットワークメールサーバ１２は、通信ネットワーク１を介して、通信端末９へのメールの送受信を実行するメールサーバである。この通信ネットワークメールサーバ１２は、他の通信ネットワーク１または情報ネットワーク２のメールサーバから、通信端末９へのメールを受信した場合に、内部にメールを蓄積する空きが無い場合には、サービスプラットフォームサーバ３へメール情報エラーを送信する。
情報端末１３は、情報端末１１と同様の機能を有する。ここでは、情報端末１３は、通信端末９のユーザとは異なるユーザの情報端末であるとし、情報端末１３から通信端末９へメールを送信した場合について説明する、
【００３４】
第２の実施形態として、一例として、通信ネットワーク１上の通信ネットワークメールサーバ１２のメール容量に空きが無いときに、通信ネットワークメールサーバ１２へ情報ネットワーク２の情報端末１３からメール情報が送信されてきた場合に、情報ネットワーク２のＩＳＰ１０へメール情報を蓄積する動作について説明する。
【００３５】
まず、情報ネットワーク２の情報端末１３は、通信端末９へメールを送信する（ステップＳ２０）。この場合、通信ネットワークメールサーバ１２は、通信端末９へのメールを蓄積する空きが内部に無いため、サービスプラットフォームサーバ３へ、メール情報エラーを送信する。
ＩＭＳ対応機能部５は、通信ネットワーク１上の通信ネットワークメールサーバ１２からのメール情報エラーを受信すると（ステップＳ２１）、シナリオ実行機能部４へ情報蓄積シナリオの実行を依頼する（ステップＳ２２）。
【００３６】
次に、シナリオ実行機能部４は、シナリオ起動の要求を受信すると、ユーザの要求に該当するシナリオを参照し、参照したシナリオに基づいて、情報を要求してきたユーザが契約している情報ネットワーク２の契約情報を、ＩＭＳ対応機能部５のＤＢアクセス機能部８へ要求する（ステップＳ２３）。
【００３７】
次に、ＩＭＳ対応機能部５のＤＢアクセス機能部８は、対象ユーザの契約情報をコンテキストＤＢ７から読み出し（ステップＳ２４）、読み出した契約情報をシナリオ実行機能部４へ通知する（ステップＳ２５）。
次に、シナリオ実行機能部４は、蓄積するメールの情報データと契約情報とを含んだ情報蓄積要求を、Ｗｅｂ対応機能部６へ送信する（ステップＳ２６）。
次に、Ｗｅｂ対応機能部６は、シナリオ実行機能部４から受け取った契約情報に基づき、情報ネットワーク２のＩＳＰ１０へ、ログインを実行し（ステップＳ２７）、ログイン後、情報ネットワーク２へ情報蓄積を依頼する（ステップＳ２８）。
【００３８】
ＩＳＰ１０への情報蓄積が完了した後、Ｗｅｂ対応機能部６は、情報蓄積通知をシナリオ実行機能部４へ通知する（ステップＳ２９）。
次に、シナリオ実行機能部４は、Ｗｅｂ対応機能部６からの情報蓄積通知をＩＭＳ対応機能部５へ通知する（ステップＳ３０）。
次に、ＩＭＳ対応機能部５は、情報蓄積通知を、情報蓄積を依頼してきた通信ネットワークメールサーバ１２もしくはユーザの通信端末９へ送信する（ステップＳ３１）。
【００３９】
＜第３の実施形態＞
次に、図７および図８を用いて、本実施の形態に係る接続制御とデータ情報の接続制御とデータ情報の連携システムの第３の実施形態の構成とその動作を説明する。
第３の実施形態では、サービスプラットフォームサーバがユーザからの情報要求時に、通信ネットワーク上のサーバもしくはユーザ端末から得られるユーザのプレゼンス情報をサービスプラットフォームサーバが収集し、収集したプレゼンス情報に基づいて、ユーザに適した情報を情報ネットワーク２から取得する場合について説明する。
【００４０】
図７は、連携システムの第３の実施形態の構成を示す構成図である。同図において図１または図２の各部に対応する部分には同一の符号を付け、その説明を省略する。
通信ネットワーク１のプレゼンスサーバ１４は、位置情報などのプレゼンス情報を通信端末９毎に記憶している。このプレゼンス情報は、通信端末９から、定期的または随時、通信ネットワーク１を介してプレゼンスサーバ１４へ送信されている。
このプレゼンスサーバ１４は、サービスプラットフォームサーバ３からのプレゼンス情報の問い合わせに応じて、該当する通信端末９のプレゼンス情報を返信する。
また、ここでは、プレゼンスサーバ１４が、コンテキストＤＢ７を有しているものとして説明する。なお、このコンテキストＤＢ７は、第１または第２の実施形態に説明したように、サービスプラットフォームサーバ３が有してもよい。
また、通信端末９は、プレゼンス情報を計測し、計測したプレゼンス情報をプレゼンスサーバ１４へ送信する。
【００４１】
まず、ＩＭＳ対応機能部５は、ユーザからの情報要求を受信すると（ステップＳ５１）シナリオ実行機能部４へ情報収集シナリオの実行を依頼する（ステップＳ５２）。
シナリオ実行機能部４は、シナリオ起動を要求する指示を受信すると、ユーザの要求に該当するシナリオを参照し、参照したシナリオに基づいて、情報を要求してきたユーザが契約している情報ネットワーク２の契約情報およびプレゼンス情報（例えば位置情報）を、ＩＭＳ対応機能部５のＤＢアクセス機能部８へ要求する（ステップＳ５３）。
【００４２】
ＩＭＳ対応機能部５のＤＢアクセス機能部８は、対象ユーザの契約情報およびプレゼンス情報を通信ネットワーク１のプレゼンスサーバ１４へ要求し（ステップＳ５４）、その結果を通信ネットワーク１のプレゼンスサーバ１４より収集する（ステップＳ５５）。
次に、ＩＭＳ機能部は収集した契約情報およびプレゼンス情報をシナリオ実行機能部４へ通知する（ステップＳ５６）。
【００４３】
シナリオ実行機能部４は、シナリオ記述に従いユーザ情報を利用しユーザに適切な情報要求をＷｅｂ対応機能部６へ送信する（ステップＳ５７）。次に、Ｗｅｂ対応機能部６は、受け取った契約情報に基づき情報ネットワーク２のＩＳＰ１０にログインを実行し（ステップＳ５８）、ＩＳＰ１０へのログイン後、ＩＳＰ１０からプレゼンス情報に基づいて、該当する情報を取得する（ステップＳ５９）。このステップＳ５９で、Ｗｅｂ対応機能部６は、プレゼンス情報に基づいて、ユーザに適した情報を取得する。
【００４４】
次に、Ｗｅｂ対応機能部６は情報ネットワーク２から取得した情報をシナリオ実行機能部４へ通知する（ステップＳ６０）。
次に、シナリオ実行機能部４はシナリオ実行機能部４から通知された情報をシナリオ記述に従い加工しＩＭＳ対応機能部５へ通知する（ステップＳ６１）。
ＩＭＳ対応機能部５はシナリオ実行機能部４から通知された情報を情報要求元のユーザの通信端末９へ送信する（ステップＳ６２）。
【００４５】
なお、実施の形態においては、ＩＭＳ対応機能部５がＤＢアクセス機能部８を有するとして説明したが、これに限られるものではなく、ＤＢアクセス機能部８とＩＭＳ対応機能部５とは、別の構成とすることも可能である。
または、ＤＢアクセス機能部８は、シナリオ実行機能部４の内部に構成することも可能である。または、ＤＢアクセス機能部８とシナリオ実行機能部４とを、一体として構成することも可能である。
【００４６】
なお、上記の説明においては、サービスプラットフォームサーバ３は、１つの通信ネットワーク１と１つの情報ネットワーク２に接続されているものとして説明したが、これに限られるものではなく、サービスプラットフォームサーバ３は、複数の通信ネットワーク１、および、複数の情報ネットワーク２に接続することが可能である。
【００４７】
上記に説明したとおり、本発明が産業上の利用が可能なのは明らかである。即ち提供先である通信ネットワークユーザにおいて、情報ネットワークの情報提供サービスや情報蓄積サービスを契約しているユーザであれば通信ネットワーク上からでも、そのユーザが契約している認証情報を利用してサービスの利用が可能となり、ユーザへより安価でユーザ毎に的確なサービスが展開できる、また通信ネットワークからのユーザ情報の取得によりユーザの位置情報などの状態に合わせた情報の取得が可能となり、サービス利用者のネットワーク利用の需要拡大が期待できる。
【００４８】
なお、コンテキストＤＢ７は、ハードディスク装置や光磁気ディスク装置、フラッシュメモリ等の不揮発性のメモリや、ＣＤ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００４９】
なお、このサービスプラットフォームサーバ３は専用のハードウェアにより実現されるものであってもよく、また、このサービスプラットフォームサーバ３はメモリおよびＣＰＵ（中央演算装置）により構成され、サービスプラットフォームサーバ３の機能を実現するためのプログラムをメモリにロードして実行することによりその機能を実現させるものであってもよい。
【００５０】
また、図１におけるサービスプラットフォームサーバ３の機能を実現するためのプログラムをコンピュータ読み取り可能な記録媒体に記録して、この記録媒体に記録されたプログラムをコンピュータシステムに読み込ませ、実行することによりサービスプラットフォームサーバ３の機能を行ってもよい。なお、ここでいう「コンピュータシステム」とは、ＯＳや周辺機器等のハードウェアを含むものとする。
【００５１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５２】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００５３】
本発明は、通信ネットワークと情報ネットワークとを接続する連携システムに用いて好適である。
【図面の簡単な説明】
【００５４】
【図１】この発明の一実施形態による連携システムの構成を示すブロック図である。
【図２】図１の連携システムのコンテキストＤＢの構成を示す構成図である。
【図３】第１の実施形態における連携システムの構成を示すブロック図である。
【図４】第１の実施形態における連携システムの動作をシーケンス図である。
【図５】第２の実施形態における連携システムの構成を示すブロック図である。
【図６】第２の実施形態における連携システムの動作をシーケンス図である。
【図７】第３の実施形態における連携システムの構成を示すブロック図である。
【図８】第３の実施形態における連携システムの動作をシーケンス図である。
【符号の説明】
【００５５】
１  通信ネットワーク
２  情報ネットワーク
３  サービスプラットフォームサーバ
４  シナリオ実行機能部
５  ＩＭＳ対応機能部
６  Ｗｅｂ対応機能部
７  コンテキストＤＢ
９  通信端末
１０  ＩＳＰ
１１、１３  情報端末
１２  通信ネットワークメールサーバ
１４  プレゼンスサーバ
【図１】
2008165703.tif 000003
【図２】
2008165703.tif 000004
【図３】
2008165703.tif 000005
【図４】
2008165703.tif 000006
【図５】
2008165703.tif 000007
【図６】
2008165703.tif 000008
【図７】
2008165703.tif 000009
【図８】
2008165703.tif 000010